【事件の表示】
　特許第２８１７６５９号「浄水装置」の請求項１ないし４に係る発明の特許に対する特許異議の申立てについて、次のとおり決定する。
【結　論】
　訂正を認める。
　特許第２８１７６５９号の請求項１に係る発明の特許を維持する。
【理　由】
１．手続の経緯
　本件特許第２８１７６５９号は、平成４年２月２４日に出願した特願平４−３５９３９号の一部を特許法第４４条第１項の規定により分割して、新たな特許出願として平成７年３月１５日に出願し、平成１０年８月２１日に設定登録され、同年１０月３０日に特許公報に掲載されたところ、平成１１年４月２２日に吉川喜一郎から特許異議の申立を受けたものであって、その後平成１１年７月５日に取消理由通知がなされ、その指定期間内である平成１１年９月６日に訂正請求がなされたものである。
２．設定登録時の本件発明
　設定登録時の本件発明は、本件特許公報に掲載されたとおりの次のものである。
［請求項１］濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水口と、濾材を洗浄した水を排出する排水口と、前記濾材容器からの水を前記浄水口から吐出させるか、前記排水口から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱することを特徴とする浄水装置。
［請求項２］加熱手段の動作終了後に切換手段が動作することを特徴とする請求項１記載の浄水装置。
［請求項３］加熱手段の動作終了後、濾材容器内に水を通水する際に、所定の時間濾材容器内の水を排水口から排水し、その後、前記切換手段が動作することを特徴とする請求項１記載の浄水装置。
［請求項４］濾材を収納する濾材容器と、前記濾材容器に収納されているものを昇温させる加熱手段と、前記濾材容器と前記加熱手段とを収納する収納部材と、前記濾材容器から導かれてきた浄水を吐出する浄水管と、前記浄水管とは別に設けられ、前記濾材容器から導かれてきた汚水等を排出する排水管とを備えた浄水装置であって、前記濾材の熱水再生洗浄が終了した後で、前記濾材容器に通水する際に、所定の時間だけ前記濾材容器内の汚水を前記排水管から排出することを特徴とする浄水装置。
３．特許異議申立人の主張
　特許異議申立人古川喜一郎は、甲第１〜６号証を提出して、次の（１）、（２）、（３）および（４）のような主旨の主張をしている。
（１）本件請求項１に係る発明は、本件特許の出願前に頒布された刊行物である甲第１号証および甲第２号証に記載された発明に基づいて当業者が容易に発明をすることができたものであるから、特許法第２９条第２項の規定により特許を受けることができないものである。（関連証拠方法；甲第１〜２号証、甲第４〜６号証）
（２）本件請求項２に係る発明は、本件特許の出願前に頒布された刊行物である甲第１号証および甲第３号証に記載された発明に基づいて当業者が容易に発明をすることができたものであるから、特許法第２９条第２項の規定により特許を受けることができないものである。
（３）本件請求項３に係る発明は、本件特許の出願前に頒布された刊行物である甲第１号証および甲第３号証または甲第２号証に記載された発明に基づいて当業者が容易に発明をすることができたものであるから、特許法第２９条第２項の規定により特許を受けることができないものである。
（４）本件請求項４に係る発明は、本件特許の出願前に頒布された刊行物である甲第１号証および甲第３号証に記載された発明に基づいて当業者が容易に発明をすることができたものであるから、特許法第２９条第２項の規定により特許を受けることができないものである。
４．取消理由
　平成１１年７月５日付取消理由通知における理由は、上記特許異議申立人の主張と同趣旨のものである。
５．訂正の要旨
　平成１１年９月６日付訂正請求における訂正の要旨は次のとおりである。
（イ）設定登録時の請求項１、請求項２および請求項４を削除する。
（ロ）設定登録時の請求項３を、請求項１に繰り上げ、かつ，「加熱手段の動作終了後、濾材容器内に水を通水する際に、所定の時間濾材容器内の水を排水口から排水し、その後、前記切換手段が動作することを特徴とする請求項１記載の浄水装置。」を、「濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水管と、濾材を洗浄した水を排出する排水管と、前記濾材容器からの浄水を前記浄水管から吐出させるか、前記濾材容器からの濾材を洗浄した水を前記排水管から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱し、前記加熱手段の動作終了後、前記濾材容器内に水を通水する際に、所定の時間濾材容器内に導入された水により前記濾材容器内の濾材を洗浄した水を前記排水管から排水し、その後、前記切換手段が動作することを特徴とする浄水装置。」と訂正する。
（ハ）本件明細書の段落［００１０］の「この目的を達成するために、時刻入力手段から入力されたデータに基づいて動作する時計を有し、その時計に基づいて所定の時刻になったら制御部は加熱モードに移行し、加熱手段を用いて、濾材容器を加熱する浄水装置において、濾材容器からの水を浄水口から吐出させるか、排水口から排出させるかの切換を行う切換手段と、切換手段を駆動するモーターを設け、制御手段がモーターを制御して切換手段を駆動させる。」を、「この目的を達成するために、濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水管と、濾材を洗浄した水を排出する排水管と、前記濾材容器からの浄水を前記浄水管から吐出させるか、前記濾材容器からの排水を前記排水管から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱し、前記加熱手段の動作終了後、前記濾材容器内に水を通水する際に、所定の時間濾材容器内に導入された水により前記濾材容器内の濾材を洗浄した水を前記排水管から排水し、その後、前記切換手段が動作する構成とした。」と訂正する。
（ニ）本件明細書の段落「００１１」中の「濾材容器の内部を昇温させる加熱手段と、」（本件特許公報第４欄１１行）を、「濾材容器に収納されているものを昇温させる加熱手段と、」と訂正する。
（ホ）本件明細書の段落「００１１」中の「更に濾材容器からの水を浄水口から吐出させるか、排水口から排出させるかの切換を行う切換手段と、」（本件特許公報第４欄２５〜２６行）を、「更に濾材容器からの浄水を浄水管から吐出させるか、濾材容器からの排水を前記排水管から排出させるかの切換を行う切換手段と、」と訂正する。
（ヘ）本件明細書の段落「００２６」中の「更に濾材容器からの水を浄水口から吐出させるか、排水口から排出させるかの切換を行う切換手段と、前記切換手段を駆動する駆動手段を設け、制御手段が駆動手段を制御することにより、制御手段が動作状況に応じて吐出管を選択して浄水や排水を吐出させることが可能になるので、例えば浄水口から排水が流れ出し、」（本件特許公報第１３欄３〜９行）を、「更に濾材容器からの浄水を浄水管から吐出させるか、濾材容器からの排水を前記排水管から排出させるかの切換を行う切換手段と、前記切換手段を駆動する駆動手段を設け、制御手段が駆動手段を制御することにより、制御手段が動作状況に応じて吐出管を選択して浄水や排水を吐出させることが可能になるので、例えば浄水管から排水が流れ出し、」と訂正する。
６．訂正の適否についての検討
６−１．訂正の目的
６−１−１．上記（イ）の訂正について
　上記（イ）の訂正は、請求項１，請求項２および請求項４を削除するものであるから、特許請求の範囲の減縮を目的とする訂正である。
６−１−２．上記（ロ）の訂正について
  上記（ロ）の訂正は、上記（イ）の訂正に伴い、登録時の請求項３を請求項１に繰り上げ、請求項１を引用していた登録時の請求項３に請求項１の内容を記載すると共に、（ロ−１）「浄水口」を「浄水管」（２カ所）、（ロ−２）「排水口」を「排水管」（３カ所）と訂正し、また、（ロ−３）浄水口（管）から吐出する「濾材容器からの水」を「濾材容器からの浄水」、（ロ−４）排水口（管）から排出させる「濾材容器からの水」を「濾材容器からの濾材を洗浄した水」、（ロ−５）排出口（管）から排水する「濾材容器内の水」を「濾材容器内の濾材を洗浄した水」と訂正し、さらに、（ロ−６）濾材容器内の水（濾材容器内の濾材を洗浄した水）の排出口（排水管）からの排水は、「濾材容器内に導入された水により」排水することを規定したものである。
　上記（ロ−１）の訂正は、実施例には、「濾過水を吐出する水管１４」と表現されていて、それに対応する記述がない「浄水口」を、「浄水管」と訂正し、それが「濾過水を吐出する水管１４」であることを明りょうにしたものであり、また、実施例には、「活性炭９を洗浄した熱水を外部に放出する排水管１９」と表現されていて、それに対応する記述がない「排水口」を「排出管」と訂正し、それが「活性炭９を洗浄した熱水を外部に放出する排水管１９」であることを明りょうにしたものであるから、明りょうでない記載の釈明を目的とする訂正である。
　上記（ロ−３）の訂正は、 浄水口（管）から吐出する「濾材容器からの水」を「濾材容器からの浄水」とし、浄水口（管）から吐出する水は、浄水であることをより明確に規定し、上記（ロ−４）の訂正は、排水口（管）から排出させる「濾材容器からの水」は、「濾材容器からの濾材を洗浄した水」であることをより明確に規定し、上記（ロ−５）の訂正は、排出口（管）から排水する「濾材容器内の水」は、「濾材容器内の濾材を洗浄した水」であることをより明確に規定したものであるから、特許請求の範囲の減縮を目的とする訂正である。
  上記（ロ−６）の訂正は、濾材容器内の水（濾材容器内の濾材を洗浄した水）の排出口（排出管）からの排水は、「濾材容器内に導入された水により」排水することを規定して、濾材容器内の水（濾材容器内の濾材を洗浄した水）の排出口（排水管）からの排水の仕方を限定したものであるから、特許請求の範囲の減縮を目的とする訂正である。
６−１−３．上記（ハ）〜（ヘ）の訂正について
　上記（ハ）〜（ヘ）の訂正は、上記（イ）および（ロ）の訂正にに伴い、発明の詳細な説明中のそれに関連する記載を、上記（イ）および（ロ）の訂正内容に沿い、ほぼそれに合わせて訂正するものであるから、明りょうでない記載の釈明を目的とする訂正である。
６−２．新規事項の有無
　上記（イ）〜（ヘ）の訂正により訂正された事項が、本件明細書の実施例や図面に基づいていることは明らかであるから、上記（イ）〜（ヘ）の訂正は、願書に添付した明細書および図面に記載した事項の範囲内のものである。
６−３．拡張・変更の存否
　上記（イ）〜（ヘ）の訂正は、その内容からみて、実質的に特許請求の範囲を拡張したり変更したりするものでないことは明らかである。
６−４．独立特許要件
　訂正後の本件請求項１に係る発明の独立特許要件について、上記取消理由の訂正前の本件請求項３に係る発明についての理由すなわち特許異議申立人の上記（３）の主張における理由に沿って検討する。
　甲第１号証（特開平１−２６２９８４号公報）には、「水道水蛇口に取り付け使用する、吸着材を具備する浄水装置において、吸着材を対流または流動する水層を介して加熱する加熱器および該加熱器および該加熱器への通電を断続させる水温制御装置を備え、加熱時、水温制御が非沸騰水温制御の後、沸騰水温制御へ移行することを特徴とする浄水装置。」（特許請求の範囲第１項）、「前記、加熱器および水温制御装置が、付設したタイマーの指示により間欠的に動作することを特徴とする特許請求の範囲第１項記載の浄水装置。」（特許請求の範囲第２項）および「前記、沸騰水温制御により吸着剤層等より排出される水の水路を、水温を感知して開閉する水路弁により変えるよう構成したことを特徴とする特許請求の範囲第１項記載の浄水装置。」（特許請求の範囲第３項）が記載されているものの、その第２頁右上欄１７行から左下欄３行に、「さらに、本装置の特徴は有機物の吸着材からの脱離と溶液の排水を水温変化だけで制御するところにある。即ち、通常、有機物の脱離や殺菌に有利な６０℃以上の非沸騰状態に水を加熱し、この熱で吸着材を加熱し、有機物が水中に溶出したところでさらに高温に加熱し昇温させ発生した蒸気圧により溶液を外部に排出するものである。」と記載されているように、有機物の吸着材からの脱離と溶液の排水を水温変化だけで制御するものであり、また、その実施例および図面を見れば分かるように、浄水口１３と排水口１２は水路弁１１で切り替えられるもので、水路弁１１までの水管は浄水と排水で共用しており、しかも、その第２頁右下欄１９行から第３頁左上欄３行に、「もし、加熱中、使用者が水道栓を開いた場合、水温を感知して動作する水路弁１１の働きで高温水は排水口１２から排出されヤケド等の危険のない温度に下がった後、水は浄水口１３から供給される。」と記載されているように、水路弁１１による切換は水温を感知してなされるのであるから、甲第１号証に記載された浄水装置は、（１）浄水を吐出する浄水管と濾材を洗浄した水を排出する排水管を独立に備えていない点、（２）濾材容器内に導入された水により、濾材容器内の濾材を洗浄した水を排水管から排水するのではない点、および、（３）時計に基づいて、所定の時刻になったら制御部は加熱モードに移行し、加熱手段を用いて、前記濾材容器を加熱し、前記加熱手段の動作終了後、前記濾材容器内に水を通水する際に、所定の時間濾材容器内に導入された水により前記濾材容器内の濾材を洗浄した水を排水管から排水するものではない点で、訂正後の本件請求項１に係る発明の浄水装置と大きく相違しており、また、甲第１号証に記載された浄水装置では、水路弁１１までの水管は浄水と排水とで共用していて、水路弁１１による切換は水温を感知してなされるのであるから、有機物が吸着材から脱離した溶液の排水は、高温である場合は水路弁１１で切り替えられ、使用者がやけどをする危険は防止できるものの、時間の経過によってそれが冷えてしまえば水路弁１１で切り替えられず、使用者が水道栓を開いて誤飲することは防止できないし、そして、甲第１号証には、有機物が吸着材から脱離した溶液の排水の誤飲の防止については何の記述もなく、誤飲防止に関する認識がない。
　甲第３号証（特開昭６４−５１１８９号公報）には、「吸着材を具備する浄水装置において、吸着材を対流または流動する水層を介して加熱する加熱器を備え、吸着材を加熱後、吸着材充填容器内の水を排出するよう給水弁および／もしくは排水弁または弁機能を有する部品を付設したことを特徴とする浄水装置。」（特許請求の範囲）が記載されており、また、その第２頁左下欄９〜１８行には、「次に吸着材の再生について説明する。吸着材充填容器周囲の水層２に接して設けられた加熱器９の通電により熱せられた加熱器周囲に水は対流して水層２内をほぼ均一に昇温する。高温となった水は吸着材充填容器周囲全体から吸着材を加熱する。吸着材中では熱は伝導によって伝達するので時間がかかるが、やがて高温に達し、吸着材は吸着物を脱離し周辺の水中へ溶出する。高温脱離後、弁１１および／または弁１２を開き吸着物を含んだ吸着材層内の水を排水する。」と記載されており、さらに、同頁９〜１２行には、「吸着材の再生は水の使用のない夜間行うのが好ましく、加熱や流水の指示はタイマーを用いた制御回路を設け自動的に吸着能再生を行える構成としている。」と記載されているが、その第１図をみれば分かるように、蛇口１３を経由する浄水と弁１２を経由する排水は、浄化装置の出口８から分岐点６までの管を共用しており、甲第３号証に記載された浄水装置は、浄水を吐出する浄水管と濾材を洗浄した水を排出する排水管を独立に備えていない点で、訂正後の本件請求項１に係る発明の浄水装置と明らかに相違しており、しかも、蛇口１３は、使用者がそれを開けば、弁１１および／または弁１２を開いて吸着物を含んだ吸着材層内の水を排水している時であっても、吐水することになるから、甲第３号証に記載された浄水装置では、高温脱離後の吸着物を含んだ吸着材層内の水の誤飲ばかりでなく、その熱水によるやけどすら防止できないものであり、甲第３号証は、高温脱離後の吸着物を含んだ吸着材層内の水の誤飲や熱水によるやけどを防止しようとすることを示すものではない。
　甲第２号証（特開平２−６４４９７号公報）には、タイマー及び軟水装置の制御装置に関する発明が記載されているものの、それは、イオン交換装置である軟水器における薬剤による再生をタイマーで制御するもので、浄水装置において活性炭等の濾材を加熱再生する際の誤飲や熱水によるやけどの防止について示すものではない。
　なお、甲第４号証（特公昭５８−４２６４号公報）には、「太陽熱温水器用自動凍結防止給水切替装置」に関する発明が、甲第５号証（特開平２−１５７５６４号公報）には、「高温差し湯つき給湯器」に関する発明が、甲第６号証（特開平３−１２２４５７号公報）には、「温水器の水抜き装置」に関する発明が記載されており、水路弁をモーターで切り替えることが示されているものの、それらは、浄水装置において活性炭等の濾材を加熱再生する際の誤飲や熱水によるやけどを防止することを示すものではない。
　そうすると、結局、甲第１〜３号証や甲第４〜６号証には、訂正後の本件請求項１に係る発明の、熱水のまま排出されてくる濾材を洗浄した処理水の誤使用によるやけどを防止し、かつ、濾材を洗浄した処理水の誤飲を確実に防止するという目的に相当する事項は示されていないし、またその目的を達成する前記相違点（１）〜（３）の訂正後の本件請求項１に係る発明の構成を導き出し得る示唆もない。
　そして、訂正後の本件請求項１に係る発明が、濾材を洗浄した処理水の誤飲および熱水のまま排出されてくる濾材を洗浄した処理水の誤使用によるやけどの恐れのない安全な浄水装置を提供するという目的を確実に達成し得ることは、その構成自体から明らかである。
　してみると、訂正後の本件請求項１に係る発明は、甲第１〜６号証の記載を総合したところで、それらの記載に基づいて当業者が容易に発明をすることができたものと認めることはできない。
　また、当審は、他に訂正後の本件請求項１に係る発明が、特許出願の際独立して特許を受けることができないとする理由を発見しない。
６−５．訂正の認否
　上記６−１、６−２、６−３および６−４で検討したように、上記訂正は、特許法第１２０条の４の第２項第１号および第３号に掲げる事項を目的とするものであり、かつ、同条第３項で準用する同法第１２６条第２項、第３項および第４項の規定にそれぞれ適合するものである。
　したがって、上記訂正は認める。
７．特許異議申立人の主張についての検討
　上記６−５の項で述べたように、上記訂正は認めた。
　そして、訂正前の請求項１、請求項２および請求項４に係る発明は、上記訂正により削除されたので、特許異議申立人の上記（１）、（２）および（４）の主張についてはその対象がなくなったから、もはや審及する必要がない。
　また、訂正後の本件請求項１に係る発明は、上記６−４で述べた理由と同じ理由により、特許異議申立人の上記（３）の主張によっては取り消すことができない。
８．結び
　以上のとおりであるから、上記訂正は認める。
　そして、訂正後の本件請求項１に係る発明の特許は、特許異議の申立の理由および証拠によっては取り消すことができない。
　また、他に、訂正後の本件請求項１に係る発明の特許を取り消すべき理由を発見しない。
　よって、結論のとおり決定する。
【異議決定日】
平成１２年５月３１日（２０００．５．３１）
【訂正の要旨】
（イ）特許請求の範囲の減縮を目的として、設定登録時の請求項１、請求項２および請求項４を削除する。
（ロ）特許請求の範囲の減縮、および、明瞭でない記載の釈明を目的として、設定登録時の請求項３を、請求項１に繰り上げ、かつ，「加熱手段の動作終了後、濾材容器内に水を通水する際に、所定の時間濾材容器内の水を排水口から排水し、その後、前記切換手段が動作することを特徴とする請求項１記載の浄水装置。」を、「濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水管と、濾材を洗浄した水を排出する排水管と、前記濾材容器からの浄水を前記浄水管から吐出させるか、前記濾材容器からの濾材を洗浄した水を前記排水管から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱し、前記加熱手段の動作終了後、前記濾材容器内に水を通水する際に、所定の時間濾材容器内に導入された水により前記濾材容器内の濾材を洗浄した水を前記排水管から排水し、その後、前記切換手段が動作することを特徴とする浄水装置。」と訂正する。
（ハ）明瞭でない記載の釈明を目的として、本件明細書の段落［００１０］の「この目的を達成するために、時刻入力手段から入力されたデータに基づいて動作する時計を有し、その時計に基づいて所定の時刻になったら制御部は加熱モードに移行し、加熱手段を用いて、濾材容器を加熱する浄水装置において、濾材容器からの水を浄水口から吐出させるか、排水口から排出させるかの切換を行う切換手段と、切換手段を駆動するモーターを設け、制御手段がモーターを制御して切換手段を駆動させる。」を、「この目的を達成するために、濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水管と、濾材を洗浄した水を排出する排水管と、前記濾材容器からの浄水を前記浄水管から吐出させるか、前記濾材容器からの排水を前記排水管から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱し、前記加熱手段の動作終了後、前記濾材容器内に水を通水する際に、所定の時間濾材容器内に導入された水により前記濾材容器内の濾材を洗浄した水を前記排水管から排水し、その後、前記切換手段が動作する構成とした。」と訂正する。
（ニ）明瞭でない記載の釈明を目的として、本件明細書の段落「００１１」中の「濾材容器の内部を昇温させる加熱手段と、」（本件特許公報第４欄１１行）を、「濾材容器に収納されているものを昇温させる加熱手段と、」と訂正する。
（ホ）明瞭でない記載の釈明を目的として、本件明細書の段落「００１１」中の「更に濾材容器からの水を浄水口から吐出させるか、排水口から排出させるかの切換を行う切換手段と、」（本件特許公報第４欄２５〜２６行）を、「更に濾材容器からの浄水を浄水管から吐出させるか、濾材容器からの排水を前記排水管から排出させるかの切換を行う切換手段と、」と訂正する。
（ヘ）明瞭でない記載の釈明を目的として、本件明細書の段落「００２６」中の「更に濾材容器からの水を浄水口から吐出させるか、排水口から排出させるかの切換を行う切換手段と、前記切換手段を駆動する駆動手段を設け、制御手段が駆動手段を制御することにより、制御手段が動作状況に応じて吐出管を選択して浄水や排水を吐出させることが可能になるので、例えば浄水口から排水が流れ出し、」（本件特許公報第１３欄３〜９行）を、「更に濾材容器からの浄水を浄水管から吐出させるか、濾材容器からの排水を前記排水管から排出させるかの切換を行う切換手段と、前記切換手段を駆動する駆動手段を設け、制御手段が駆動手段を制御することにより、制御手段が動作状況に応じて吐出管を選択して浄水や排水を吐出させることが可能になるので、例えば浄水管から排水が流れ出し、」と訂正する。
（５４）【発明の名称】
浄水装置
（５７）【特許請求の範囲】
　【請求項１】濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水
管
管
浄
管
前記濾材容器からの濾材を洗浄した水を
管
し、
に導入された水により前記濾材容器内の濾材を洗浄した水を前記排水管から排水し、
【発明の詳細な説明】
　【０００１】
　【産業上の利用分野】本発明は活性炭等の濾材を再生利用することができる浄水装置に関するものである。
　【０００２】
　【従来の技術】従来浄水装置は一定期間使用すると、活性炭等が入ったカートリッジを交換していた。これは、長期間の使用により活性炭の吸着能力が劣化し、濾過水に不純物等が混入する割合が大きくなるためである。しかしながらカートリッジの交換は非常にコストがかかるために、熱水で活性炭を洗浄再生し、カートリッジの交換が不要な浄水装置が開発された。以下その浄水装置について説明する。
　【０００３】図１７は従来の浄水装置を示す側断面図である。図１７において１は本体で、本体１の内部には活性炭２が収納されている。活性炭２は透水性の部材３，４によって外部に流出しないようになっている。５は本体１の上部に設けられた吐水管、６は本体１の下部に設けられた流入管である。
　【０００４】以上のように構成された浄水装置について以下その動作を説明する。先ず濾過水を生成する場合について説明する。
　【０００５】先ず流入管６を水道の蛇口に接続し、水道水を活性炭２を通過させることによって、水道水の中の不純物やトリハロメタン等（以下不純物等と略す）を除去し、吐水管５から濾過水を得ることができる。
　【０００６】次に活性炭を洗浄する場合について説明する。吐水管５を熱水生成器に接続し、熱水を活性炭２に通すことによって活性炭２から不純物等を取り除き、その不純物を含んだ熱水を流入管６から排出する。
　【０００７】以下活性炭２を洗浄しなければならない理由を説明する。活性炭２は前述のように、水道水の中の不純物等を吸着するが、長期間使用していると、吸着能力が低下して、水道水のなかの不純物等を取り除くことができなくなる。従って上述のように活性炭２に熱水を通して活性炭２を熱洗浄することによって吸着能力を再生させていた。
　【０００８】
　【発明が解決しようとする課題】しかしながら前記従来の構成では、活性炭を洗浄した後の処理水と、活性炭等の濾材で浄化された浄水とが同じ吐出口から吐出されていた。このため使用者が誤って処理水を飲んでしまったり、熱水のまま排出されてきた処理水でやけどをしてしまう恐れがあるという問題点があった。
　【０００９】本発明は前記従来の課題を解決するもので、誤飲や誤使用の恐れのない安全な浄水装置を提供することを目的としている。
　【００１０】
　【課題を解決するための手段】この目的を達成するために、
濾材を収納する濾材容器と、前記濾材容器に収納されているものを昇温させる加熱手段と、前記濾材容器に水を導入する流入管と、前記濾材容器から水を吐出する流出管と、時刻を入力する時刻入力手段と、前記時刻入力手段から入力されたデータに基づいて動作する時計と、浄水を吐出する浄水管と、濾材を洗浄した水を排出する排水管と、前記濾材容器からの浄水を前記浄水管から吐出させるか、前記濾材容器からの排水を前記排水管から排出させるかの切換を行う切換手段と、前記切換手段を駆動するモータと、前記加熱手段に信号を出力して、前記加熱手段を制御するとともに前記モータに信号を出力して前記切換手段を制御する制御部とを備え、前記時計に基づいて、所定の時刻になったら前記制御部は加熱モードに移行し、前記加熱手段を用いて、前記濾材容器を加熱し、前記加熱手段の動作終了後、前記濾材容器に水を通水する際に、所定の時間濾材容器内に導入された水により前記濾材容器内の濾材を洗浄した水を前記排水管から排水し、その後、前記切換手段が動作する構成とした。
　【００１１】
　【作用】濾材容器に収納されているものを昇温させる加熱手段と、時刻を入力する時刻入力手段と、加熱手段を制御する制御手段とを備え、入力された時刻に基づいて、所定の時刻になったら制御手段は加熱モードに移行し、加熱手段を用いて、濾材容器を加熱するようにしたことにより、浄水装置の動作をその内部に設けられた時計に基づいて行わせることができる。また時刻入力手段から加熱開始時刻を入力できるようにしたことにより、濾材の加熱開始時刻を使用者の都合に合わせて任意に設定することができるようになる。更に、一旦現在の時刻と濾材の加熱開始時刻を設定すると、濾材の洗浄再生を行う際にいちいちタイマーをセットしなくても、定期的にしかも確実に濾材の洗浄再生を行うことができるので、常時優れた濾過能力を有する信頼性の高い浄水装置とすることができる。更に濾材容器からの
浄
管
濾材容器からの排水を
　【００１２】
　【実施例】
　図１は本発明の一実施例における浄水装置を示す透視斜視図である。
　【００１３】図１において、７は本体ケース、８は本体ケース７の中に設けられ、耐熱及び耐圧性材料で構成された濾材容器で、濾材容器８の中には活性炭９が収納されている。活性炭９は従来と同様に透水性の部材（例えば目の細かな金網等）によって覆われている。１０は濾材容器８の内底部に設けられ、濾材容器８を加熱する加熱ヒーター、１１はサーミスタを有し濾材容器８の温度を検知する温度検知器で、温度検知器１１は濾材容器８の外側部に接触している。１２は切り換え弁を有するユニット部で、ユニット部１２には外部の水を装置内に導く流水管１３と、濾過水を吐出する水管１４とが接続されている。又ユニット部１２と濾材容器８との間には水管１５，１６が設けられており、さらに水平弁部１７との間にも水管１８が設けられている。水平弁部１７は円筒形を有しており、側面の中央部は濾材容器８の上面と連結している。また水平弁部１７には水管１８が連結されている側と反対側の端面に活性炭９を洗浄した熱水を外部へ放出する排水管１９が連結されている。水平弁部１７の中には弁部２０が収納されており、バネ２１によって水管１８側に付勢されている。２２，２３，２４はそれぞれユニット部１２の内部に設けられ周縁部に突出部を有した孔で、孔２２は水管１８に連結しており、孔２３は水管１５に連結しており、孔２４は水管１４に連結している。２５はユニット部１２の内部に回転可能に保持された切り換え弁で、切り換え弁２５には側面部に円周方向に沿って形成された溝２６，２７，２８がそれぞれ形成されている。溝２６，２８の形成位置は円周方向に沿って同じ位置に形成されているが、溝２７だけは異なる位置に形成されている。２９は切り換え弁２５の側面全周に設けられた溝である。３０，３１，３２はそれぞれ溝２６，２７，２８に保持されたボールで、ボール３０，３１，３２はそれぞれステンレスや樹脂等の錆びにくい材料によって構成されている。またボール３０は孔２２の開閉を行い、ボール３１は孔２３の開閉を行い、ボール３２は孔２４の開閉を行う。３３は溝２９に取り付けられた環状のパッキンで、パッキン３３はユニット部１２の内部空間を孔２２，２３が設けられた空間と孔２４が設けられた空間に分割している。このとき前述の流水管１３は孔２２，２３が設けられた空間の方に連結している。３４は切り換え弁２５を回転させるモーターである。以下モーター３４の回転が切り換え弁２５に伝えられる機構について説明する。モーター３４の回転軸にはウオームギア３５が設けられており、ウオームギア３５の回転はギア３６に伝えられ、さらにギア３６の回転は、ギア３６と同軸に設けられた径の小さなギア（図示せず）を介してギア３７に伝えられる。ギア３７は軸を介して切り換え弁２５の端面に接合されているので、ギア３７の回転に伴って切り換え弁２５も回転する。３８は切り換え弁２５のギア３７が取り付けられた側と反対側の端面に軸を介して取り付けられたカムで、カム３８には凸部が設けられている。３９はフォトインタラプタで構成されたスイッチ部、４０，４１はそれぞれマイクロスイッチで構成されたスイッチ部である。４２はモーター３４や加熱ヒーター１０等の制御を行うマイクロコンピュータ等の部品が収納されている制御部で、制御部４２は断熱部材４３を介してユニット部１２の下に設けられている。４４は制御部４２に設けられた電源部である。
　【００１４】以上のように構成された浄水装置について以下浄水時及び活性炭９の洗浄時の水の流れについて説明する。
　【００１５】先ず止水状態を説明する。図２（ａ）に示すようにユニット部１２に設けられた孔２２，２３，２４をそれぞれボール３０，３１，３２が塞いだ状態となっているので、加圧された水が流水管１３からユニット部１２に至っても水の流れは発生しない。また図２（ｂ）に示すようにカム３８の凸部はスイッチ部３９に設けられた溝内に位置している。
　【００１６】次に浄水状態を図３及び図４（ａ）（ｂ）を用いて説明する。止水状態からモーター３４を駆動して切り換え弁２５をカム３８の凸部がスイッチ部４１に近づいていく方に回転させる。そしてカム３８の凸部がスイッチ部４１を押圧するとモーター３４は止まり、切り換え弁２５はカム３８の凸部がスイッチ部４１を押圧した状態で静止する。すると図４（ａ）に示すように孔２２と孔２４の上からそれぞれボール３０，３２が移動し、孔２２及び孔２４をそれぞれ開放する。前述したように加圧された水は、図３に示すように流水管１３を経由してユニット部１２に至っているので、孔２２が開放されることによって水は孔２２から水管１８へ流れ、更に水平弁部１７に流れ込む。水平弁部１７に流れ込んだ水は弁部２０をバネ２１の弾性力に抗して水平に移動させる。前述したように水平弁部２０の側部の中央付近には濾材容器８の上面に連結した水管が設けられているので、水平弁部１７に流れ込んだ水が弁部２０を所定量移動させると、その水は濾材容器８の中に流れ込む。濾材容器８の中に流れ込んだ水は活性炭９によって浄水され、濾材容器８の下部に設けられた水管１６を経由してユニット部１２の方へ再度流れ込む。この時パッキン３３が設けられているので、流水管１３からユニット部１２流れ込む水と、濾材容器８からユニット部１２に流れ込む水は混合することはない。ユニット部１２に流れ込んだ浄水した水は孔２４及び水管１４を通って外部に放出される。浄水状態を終了する時には、所定の操作を行って、モーター３４を駆動し、切り換え弁２５をカム３８の凸部がスイッチ部３９に近づいていく方に回転させる。そしてカム３８の凸部がスイッチ部３９に作用するとモーター３４は回転を止め、図１に示すような止水状態となる。
　【００１７】次に活性炭の浄化状態について図５及び図６（ａ）（ｂ）を用いて説明する。先ず止水状態で、加熱ヒーター１０に通電して濾材容器８の中を加熱し、活性炭に吸着された不純物等を取り除く。そして濾材容器８の中を所定温度（本実施例では６５℃程度で行ったが、活性炭から不純物等が取り除ける温度であれば何℃でもよい）で所定時間（本実施例では３０分〜６０分程度行ったが、これは活性炭の容量等によって適宜選択する必要がある）加熱した後に、止水状態からモーター３４を駆動して切り換え弁２５をカム３８の凸部がスイッチ部４０に近づいていく方に回転させる。そしてカム３８の凸部がスイッチ部４０を押圧するとモーター３４は止まり、切り換え弁２５はカム３８の凸部がスイッチ部４０を押圧した状態で静止する。すると図６（ａ）に示すように孔２３上からボール３１が移動し、孔２３を開放する。加圧された水は流水管１３を経由してユニット部１２に至っているので、孔２３が開放されることによって水は孔２３から水管１５を通って濾材容器８に流れ込む。すると活性炭を洗浄した後の熱水（不純物等を含んだ水）は、水管１５から流れ込んで来た水によって濾材容器８の上面に追いやられ、水平弁部１７を通って排水管１９から排水される。所定時間水管１５から濾材容器８に水を流し込んだら、所定の操作を行って、モーター３４を駆動し、切り換え弁２５をカム３８の凸部がスイッチ部３９に近づいていく方に回転させる。そしてカム３８の凸部がスイッチ部３９に作用するとモーター３４は回転を止め、図１に示すような止水状態となる。以上の様に、濾材容器８の中を所定の温度で所定の時間加熱した後、モーター３４を駆動して切り換え弁２５を動作させることにより、例えば加熱中に切り換え弁２５が誤って切り換わってしまう可能性を大幅に低減することができる。従って、活性炭のカスや不純物等を含有した熱水や蒸気等が所定の出口以外の場所から噴き出し、周囲を汚したり、水浸しにしてしまう等の不都合の発生をより確実に防止することができるので、衛生的で安全な浄水装置を提供することができる。更に濾材容器８の中を所定の温度で所定の時間加熱した後、濾材容器８内に通水して濾材容器８内部の水を排水してから、モーター３４を駆動して切り換え弁２５を動作させることにより、前述の効果の他、濾材容器８内の再生洗浄に用いられた汚水を確実に排出することができ、汚水が浄水に混入する危険性を最小限に抑制することができるので好ましい。また所定の時間水管１５から濾材容器８に水を流し込んで、濾材容器８内の不純物等を含んだ水を追いやって、排水管１９から排水することにより、濾材容器８内の不純物等を含んだ水を確実に排出することができ、浄水に不純物が混入する可能性をほとんどなくすことができる。
　【００１８】図７は本発明の一実施例における浄水装置を示す外観斜視図である。図７において４５は浄水装置本体、４６は時刻や熱洗浄中であること等を表示する表示部、４７は本体４５の操作を行う操作部であり、操作部４７の詳細は図８に示す。図８は本発明の一実施例における浄水装置の操作部を示す拡大図である。図８において４８は現在の時刻を設定する操作ボタン、４９は本体４５を止水状態にするとともに時刻設定の際に時刻を繰り上げる操作ボタン、５０は本体４５を浄水状態にするとともに時刻設定の際に時刻を繰り下げる操作ボタン、５１は手動によって活性炭９の洗浄を行うとともに「時」や「分」等の桁送りを行う操作ボタン、５２は活性炭９の洗浄を特定時刻に行うように設定する操作ボタンである。現在の時刻を設定する場合には、操作ボタン４８を押して現在時刻設定モードにして、操作ボタン４９及び操作ボタン５０によって、所定の「時」に設定した後に操作ボタン５１によって桁送りをし、さらに操作ボタン４９及び操作ボタン５０によって所定の「分」に設定する。さらに活性炭洗浄の時刻を設定する場合には、操作ボタン５２を押して活性炭洗浄時刻設定モードにして、現在時刻設定と同様に操作ボタン４９，５０，５１を用いて所定の時間に設定する。５３は本体４５内の電源に接続されているプラグ、５４は一端が前述した流水管（図示せず）に接続されたチューブ、５５は水道栓５６に取り付けられた連結部材で、連結部材５５にはチューブ５４の他端が接続されている。連結部材５５にはレバー５７が設けられており、レバー５７の切り替えによって水道水を本体４５に送るか、原水として連結部材５５から放出されるかを選択することができる。
　【００１９】この様に使用者が現在の時刻を入力できるような構成としたことにより、浄水器４５に時計を設けることができるので、制御手段の動作をこの時計に従って行わせることができるようになる。従って動作が正確で確実な信頼性の高い浄水装置とすることができる。また濾材の再生洗浄を開始する特定の時刻も使用者が入力できる様な構成としたことにより、濾材の再生開始時刻を使用者の都合に合わせて任意に設定することができるようになる。更に、一旦現在の時刻と濾材の洗浄開始時刻を設定すると、濾材の洗浄再生を行う際にいちいちタイマーをセットしなくても、定期的にしかも確実に濾材の洗浄再生を行うことができるので、常時優れた濾過能力を有する信頼性の高い浄水装置とすることができる。また設定された現在の時刻を表示部４６に表示することにより、再生開始時刻を設定する際に現在の時刻を参照しながら加熱開始時刻を設定することができ、開始時刻を使用者にとって最適な時刻にすることが容易に行える。また再生開始時刻設定中にもセット中の時刻が表示できるようにすることにより、今自分が何時にセットしようとしているのかを確認しながら時刻の設定を行うことができるので、より確実に再生開始時刻の設定を行うことができる。以上のように構成された浄水器の制御方法について説明する。図９は本実施例の浄水器のブロック図である。
　【００２０】図９において、１０は加熱ヒーター、１１は温度検知器、４６は表示部、４７は操作部、３９，４０，４１はそれぞれスイッチ部でこれらは図１に記載したものと同じである。５８は制御部４２の中に設けられたマイクロコンピュータ（以下マイコンと略す）で、マイコン５８にはクロック信号を発生する発振手段５８ａが設けられている。５９はモーター３４を駆動し、マイコン５８によって制御されるモーター駆動回路、６０は加熱ヒーター１０を駆動し、マイコン５８及び温度検知器１１によって制御されるヒーター駆動回路である。ヒーター駆動回路６０がマイコン５８及び温度検知器１１の双方によって制御する理由は、加熱ヒーター１０が発熱している最中に、マイコン５８が暴走すると、濾材容器８の中の温度が所定の温度以上になってもなお加熱し続けることが考えられ、熱による装置の破損等が発生するので、温度検知器１１によってもヒーター駆動回路６０の制御を行なわせている。すなわち温度検知器１１が所定の温度以上の温度を検知したら、ヒーター駆動回路６０の動作をマイコン５８とは別に止めるようにすることによって濾材容器８内の異常加熱を防止している。
　【００２１】以下のように構成された制御系について図１０を用いて動作を説明する。まず装置に電源が投入されると、まずマイコン５８は切り換え弁２５の現在位置をスイッチ部３９，４０，４１からの出力で判断する。その後に装置は停電復帰状態となり、表示部４６の時刻部分が点灯しだす。そして前述のように操作部４７のボタンを押して現在の時間を設定する。設定が終了すると、切り換え弁２５が止水状態になっていなければ、マイコン５８はモーター駆動回路５９に信号を送り、モーター３４を駆動させ、切り換え弁２５を図１に示すように止水状態の位置に回転させる。さらに濾材容器８の加熱及び濾材容器８の中の熱水の排水を１サイクルとした場合、これを１〜数サイクル設定する（本実施例の場合Ｎ回とする）。またこの時の濾材容器８の保温時間も予め設定しておく。このような処理をＳＴＥＰ（以下Ｓと略す）１の動作のスタートまでに行う。Ｓ１で動作がスタートすると、先ずＳ２で操作部４７のボタンのキースキャンを行う。Ｓ２は図１１に示すような処理が行われている。先ずＳ３でモーター３４のＯＮ／ＯＦＦを制御し、Ｓ４で表示部４６の制御を行う。次にＳ５で止水・浄水・熱洗浄・熱洗浄時刻設定等の操作部４７のボタンをスキャンして判断する。その後にＳ６で切り換え弁２５の現在位置をスイッチ部３９，４０，４１の出力をスキャンする。このようにＳ２のキースキャンの処理が完了すると、次にＳ７のモード切換を行う。モード切換は図１２に示すような処理が行われる。まずＳ８で操作部４７のボタンが押されたかどうかを判断する。すなわちＳ５で操作部４７のボタンをスキャンした際に押されたボタンがあったかどうかを判断する。なんらかのボタンが押されると、Ｓ９でその押されたボタンが止水の操作ボタン４９かどうかを判断する。押されたボタンが止水の操作ボタン４９であればＳ１０で止水モードをセットし、Ｓ７に戻る。また押されたボタンが止水の操作ボタンでない場合にはＳ１１に進み、押されたボタンが浄水の操作ボタン５０かどうかを判断する。ここで押されたボタンが浄水の操作ボタン５０であればＳ１２に進み浄水モードをセットし、Ｓ７に戻る。押されたボタンが浄水の操作ボタン５０でない場合にはＳ１３に進み、押されたボタンが手動熱洗浄の操作ボタン５１かどうかを判断する。ここで押されたボタンが手動熱洗浄の操作ボタン５１であればＳ１４へ進み熱洗浄モード及び保温モードをセットし、Ｓ７に戻る。押されたボタンが手動熱洗浄の操作ボタン５１でなければＳ１５に進み、押されたボタンが熱洗浄時刻設定の操作ボタン５２かどうかを判断する。ここで押されたボタンが熱洗浄時刻設定の操作ボタン５２であればＳ１６に進み、現在熱洗浄モードか否かを判断する。熱洗浄モードであればＳ１７に進んで、止水モードをセットし、Ｓ７に戻る。またＳ１６で熱洗浄モードでなければ、Ｓ１８に進み熱洗浄時刻設定モードをセットしてＳ７に戻る。Ｓ１５で押されたボタンが熱洗浄時刻設定の操作ボタン５２でなければ、Ｓ７に戻る。Ｓ８で操作部４７のボタンが押されていなかったら、Ｓ１９に進み、熱洗浄設定時刻になったかどうかを判断する。
　【００２２】熱洗浄設定時刻になったらＳ１４の熱洗浄モードをセットし、Ｓ７に戻る。またＳ１９で熱洗浄設定時刻になっていなければＳ７に戻る。Ｓ７の処理が済むと、Ｓ２０に進みモードが止水モードにセットされているか否かを判定し、止水モードにセットされていなければ図１３の処理に進む。Ｓ２１でモードが浄水モードにセットされているか否かを判定し、浄水モードにセットされていればＳ２２に進み、もし加熱ヒーター１０が加熱状態であれば、マイコン５８はヒーター駆動回路６０に信号を送り、加熱ヒーター１０への通電を終了させる。次にＳ２３に進み切り換え弁２５が浄水位置になっているか否か（すなわち図３に示すような位置に切り換え弁２５が位置しているか否か）をスイッチ部３９，４０，４１からの出力を見てマイコン５８が判定する。この時切り換え弁２５が浄水位置に到達していなければ、Ｓ２４に進みマイコン５８がモーター駆動回路５９に信号を送り、モーター３４を駆動させ、切り換え弁２５を浄水位置になるように移動させ、その後にＳ１とＳ２の間に戻る。またＳ２３において切り換え弁２５が浄水位置になっていればＳ２５でマイコン５８はモーター駆動回路５９に信号を送り、モーター３４の駆動を停止させ、その後にＳ１とＳ２の間に戻る。Ｓ２１でモードが浄水モードにセットされていなかったら、図１４の処理に進む。Ｓ２６でモードが熱洗浄モードにセットされているか否かを判断し、熱洗浄モードにセットされていなければＳ２７に進む。Ｓ２７ではモードが熱洗浄時刻設定モードにセットされているかどうかを判断し、熱洗浄時刻設定モードにセットされていればＳ２８に進み、前述したように操作部４７の操作ボタンによって熱洗浄する時刻を設定する。そしてその後にＳ１とＳ２の間に戻る。またＳ２７で熱洗浄時刻設定モードに設定されていなければＳ１とＳ２の間に戻る。Ｓ２６で熱洗浄モードにセットされていれば、Ｓ２９に進み加熱ヒーター１０に通電していなければ、マイコン５８はヒーター駆動回路６０に信号を送り、加熱ヒーター１０に通電して濾材容器８の中を加熱する。次にＳ３０で保温モードが設定されているか否かを判断し、設定されていれば図１５に示す処理に進む。Ｓ３１で切り換え弁２５が図１に示すような止水位置になっているかどうかを、スイッチ部３９，４０，４１の出力によってマイコン５８が判断し、止水位置になっていなければＳ３２に進む。Ｓ３２ではマイコン５８がモーター駆動回路５９に信号を送り、モーター３４を駆動させ、切り換え弁２５を回転させる。その後にＳ１とＳ２の間に戻る。Ｓ３１で切り換え弁２５の位置が止水位置になっていればＳ３３に進み、Ｓ３３でモーター３４が駆動していたら、マイコン５８がモーター駆動回路５９に信号を出力し、モーター３４の駆動を中止させる。その後Ｓ３４で加熱ヒーター１０の通電時間、すなわち濾材容器８の保温時間をカウントする。次にＳ３５にて予め設定された保温時間と、Ｓ３４でカウントした保温時間を比較してタイムオーバーになっていればＳ３６に進み、なっていなければＳ１とＳ２の間に戻る。Ｓ３６では再度保温時間をセットし、その後にＳ３７で保温モードを排水モードに切り換えて、Ｓ１とＳ２の間に戻る。Ｓ３０で保温モードにセットされていなければ、Ｓ３８に進み、切り換え弁２５が図５に示すように排水位置になっているか否かをマイコン５８がスイッチ部３９，４０，４１からの出力を基に判断し、切り換え弁２５が排水位置になっていなければＳ３９に進む。Ｓ３９ではマイコン５８からモーター駆動回路５９に信号を出力してモーター３４を駆動させ、切り換え弁２５を排水位置に移動させる。次にＳ４０に進んで、濾材容器８の中の水を排水する時間、すなわち排水時間を所定の時間に設定した後にＳ１とＳ２の間に戻る。Ｓ３８で切り換え弁２５が排水位置になっていたら、Ｓ４１に進む。Ｓ４１でモーター３４が駆動していたら、マイコン５８はモーター駆動回路５９に信号を送り、モーター３４の駆動を停止させる。その後Ｓ４２に進み予め設定されたサイクル数と現在のサイクル数を比較し、現在のサイクルが予め設定されたサイクル数になったらＳ４３に進み、現在のサイクル数を０回に設定し直す。そしてＳ４４で熱洗浄モードを止水モードに切り換えるとともに、洗浄中断モードを設定し、その後にＳ１とＳ２の間に戻る。Ｓ４２で現在のサイクル数が予め設定されたサイクル数より少なかったらＳ４５に進んで現在の排水時間をカウントする。そしてＳ４６でＳ４０で設定された排水時間と現在の排水時間を比較し、タイムオーバーとなっていなければＳ１とＳ２の間に戻り、なっていればＳ４７に進む。Ｓ４７では排水モードを保温モードに切り換えて、更にＳ４８でサイクル数を１加算してＳ１とＳ２の間に戻る。
　【００２３】Ｓ２０で止水モードがセットされていればＳ４９に進む。Ｓ４９では加熱ヒーター１０に通電されていれば、マイコン５８がヒーター駆動回路６０に信号を出力して加熱ヒーター１０の通電を停止させる。そしてＳ５０に進み、洗浄中断モードが設定されているか否かを判断し、設定されていれば図１６の処理に進む。Ｓ５１では切り換え弁２５が図５に示すような排水位置になっているか否かをマイコン５８がスイッチ部３９，４０，４１からの出力によって判断し、切り換え弁２５が排水位置になかったらＳ５２に進む。Ｓ５２ではマイコン５８がモーター駆動回路５９に信号を出力してモーター３４を駆動させて、切り換え弁２５を回転させ、その後にＳ１とＳ２の間に戻る。Ｓ５１で切り換え弁２５が排水位置になっていたら、Ｓ５３に進み、モーター３４が駆動していたらマイコン５８がモーター駆動回路５９に信号を出力してモーター３４の駆動を停止させる。次にＳ５４で排水時間をカウントし、Ｓ５５で設定された排水時間と現在の排水時間を比較してタイムオーバーであればＳ５６に進み洗浄中断モードを解除し、Ｓ１とＳ２の間に戻り、Ｓ５５でタイムオーバーでなかったらＳ１とＳ２の間に戻る。Ｓ５０で洗浄中断モードでなかったらＳ５７に進み切り換え弁２５が止水位置であるか否かを判断し、止水位置でなかったら、Ｓ５８に進んでモーター３４が駆動していなかったらマイコン５８がモーター駆動回路５９に信号を出力してモーター３４を駆動させ、切り換え弁２５を図１に示す止水位置に移動させ、Ｓ１とＳ２の間に戻る。Ｓ５７で切り換え弁２５が止水位置であればＳ５９に進み、モーター３４が駆動していればマイコン５８がモーター駆動回路５９に信号を出力してモーター３４の駆動を停止させ、その後にＳ１とＳ２の間に戻る。
　【００２４】本実施例では以上のような構成及び制御を行うことによって、自動的に活性炭９の洗浄が行えるとともに、活性炭９の確実な洗浄すなわち活性炭の表面及び細孔に付着した不純物等を確実に取り除けるので、濾過水に不純物が混入することはない。
　【００２５】なお本実施例では濾材として活性炭を用いたが、熱水で不純物等が除ける濾材であれば何でもよい。例えばイオン交換樹脂も応用可能である。また加熱ヒーター１０を加熱効率を良くするために濾材容器８の内底部に設けたが、濾材容器８の内部であればどこでもよい。さらに加熱ヒーター１０を濾材容器８の外部に接触させたり、濾材容器８から離れた位置に設けて、濾材容器８を加熱したりしてもよい。また温度検知器１１を濾材容器８の外側部に設けたが内部に設けてもよい。
　【００２６】
　【発明の効果】濾材容器の内部を昇温させる加熱手段と、時刻を入力するとともに加熱開始時刻を入力する時刻入力手段と、加熱手段を制御する制御手段とを備え、入力された時刻に基づいて、加熱開始時刻になったら制御手段は加熱モードに移行し、加熱手段を用いて、濾材容器を加熱するようにしたことにより、浄水装置の動作をその内部に設けられた時計に基づいて行わせることができるので、加熱モードヘの移行動作等が正確で確実な信頼性の高い浄水装置とすることができる。また時刻入力手段から加熱開始時刻を入力できるようにしたことにより、濾材の再生開始時刻を使用者の都合に合わせて任意に設定することができるようになる。更に、一旦現在の時刻と濾材の洗浄開始時刻を設定すると、濾材の洗浄再生を行う際にいちいちタイマーをセットしなくても、定期的にしかも確実に濾材の洗浄再生を行うことができるので、常時優れた濾過能力を有する信頼性の高い浄水装置とすることができる。更に濾材容器からの
浄
管
濾材容器からの排水を
管
管
管
【図面の簡単な説明】
　【図１】本発明の一実施例における浄水装置を示す透視斜視図
　【図２】
　（ａ）本発明の一実施例における浄水装置の部分拡大断面図
　（ｂ）本発明の一実施例における浄水装置の部分拡大図
　【図３】本発明の一実施例における浄水装置を示す透視斜視図
　【図４】
　（ａ）本発明の一実施例における浄水装置の部分拡大断面図
　（ｂ）本発明の一実施例における浄水装置の部分拡大図
　【図５】本発明の一実施例における浄水装置を示す透視斜視図
　【図６】
　（ａ）本発明の一実施例における浄水装置の部分拡大断面図
　（ｂ）本発明の一実施例における浄水装置の部分拡大図
　【図７】本発明の一実施例における浄水装置を示す外観斜視図
　【図８】本発明の一実施例における浄水装置の操作部を示す拡大図
　【図９】本発明の一実施例における浄水装置を示すブロック図
　【図１０】本発明の一実施例における浄水装置の動作を示すフローチャート
　【図１１】本発明の一実施例における浄水装置の動作を示すフローチャート
　【図１２】本発明の一実施例における浄水装置の動作を示すフローチャート
　【図１３】本発明の一実施例における浄水装置の動作を示すフローチャート
　【図１４】本発明の一実施例における浄水装置の動作を示すフローチャート
　【図１５】本発明の一実施例における浄水装置の動作を示すフローチャート
　【図１６】本発明の一実施例における浄水装置の動作を示すフローチャート
　【図１７】従来の浄水装置を示す側断面図
　【符号の説明】
７　本体ケース
８　濾材容器
９　活性炭
１０　加熱ヒーター
１１　温度検知器
１２　ユニット部
１３　流水管
１４　水管
１５　水管
１６　水管
１７　水平弁部
１８　水管
１９　排水管
２０　弁部
２１　バネ
２２　孔
２３　孔
２４　孔
２５　切り換え弁
２６　溝
２７　溝
２８　溝
２９　溝
３０　ボール
３１　ボール
３２　ボール
３３　パッキン
３４　モーター
３５　ウオームギア
３６　ギア
３７　ギア
３８　カム
３９　スイッチ部
４０　スイッチ部
４１　スイッチ部
４２　制御部
４３　断熱部材
４４　電源部
５８　マイクロコンピュータ
５９　モーター駆動回路
６０　ヒーター駆動回路